【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  複数の、互いに異なる色相を有する染料インクによって二次色の画像を形成する画像形成方法であって、
該画像の分光スペクトル分布において、染料の非会合状態の存在を示す吸収ピーク以外のピークが最大であることを特徴とする画像形成方法。
【請求項２】  前記複数の、互いに異なる色相を有する染料インクのうち、少なくともひとつがフタロシアニン染料を含有するシアンインクであり、前記フタロシアニン染料が、下記一般式（Ｉ）で表わされるフタロシアニン染料である請求項１に記載の画像形成方法。
【外１】
2004123910.tif 000001
（式中、ＣｕＰｃは銅フタロシアニン残基を表し、Ｍはアルカリ金属又はアンモニウムであり、ｘは１、２、３または４であり、ｙは０、１、２または３である。但しｘ＋ｙ＝２以下のものを含まないか、或いは実質的に含まない。）
【請求項３】  前記シアンインクが、更に蒸気圧が少なくとも０．０１ｍｍＨｇ（２０〜２５℃）のグリコール類を含有する請求項２に記載の画像形成方法。
【請求項４】  イエローの色材、マゼンタの色材及びフタロシアニン染料を含有するシアンの色材の重ね合わせにより被記録材上に黒色の画像を形成する画像形成方法であって、
該黒色画像の５００ｎｍ〜７００ｎｍの範囲の分光スペクトル分布において、波長６６０〜７００ｎｍの領域以外に吸収の最大ピークを有していることを特徴とする画像形成方法。
【請求項５】  前記フタロシアニン染料が、下記一般式（Ｉ）で表わされるフタロシアニン染料である請求項４に記載の画像形成方法。
【外２】
2004123910.tif 000002
（式中、ＣｕＰｃは銅フタロシアニン残基を表し、Ｍはアルカリ金属又はアンモニウムであり、ｘは１、２、３または４であり、ｙは０、１、２または３である。但しｘ＋ｙ＝２以下のものを含まないか、或いは実質的に含まない。）
【請求項６】  前記フタロシアニン染料を含有する染料インクが、更に蒸気圧が少なくとも０．０１ｍｍＨｇ（２０〜２５℃）のグリコール類を含有する請求項５に記載の画像形成方法。
【請求項７】  請求項１〜３のいずれか１項に記載の画像形成方法により形成されたことを特徴とする二次色の画像。
【請求項８】  請求項４〜６のいずれか１項に記載の画像形成方法により形成されたことを特徴とする黒色の画像。
【手続補正２】
【補正対象書類名】明細書
【補正対象項目名】０００４
【補正方法】変更
【補正の内容】
【０００４】
これは、染料が顔料と比較して色の彩度が優れていることによるものである。しかし、染料インクによる画像は、耐光性や耐ガス性が低いというのは定説となっており、係る課題に対し、様々な改良が染料に加えられ、耐光性や耐ガス性等に優れた染料が報告されている。例えば、特開２００２−１０５３４９号公報には、耐ガス性に優れた、インクジェット用インクに用いるシアン色素化合物として、銅フタロシアニンをクロロスルホン化した後アミド化する際に、アミノ化剤を原料銅フタロシアニン１モルに対して２．５モル以上の割合で反応させて得られる化合物であり、かつ下記式（Ｖ）で表される化合物の混合物を開示している：
【外３】
2004123910.tif 000003
（上記式（Ｖ）中、Ｍはプロトン、アルカリ金属イオン、アルカリ土類金属イオン、有機アミンのオニウムイオンまたはアンモニウムイオンを示す。ｍは１から４の整数であり、ｎは０から３の整数であり、かつｍ＋ｎは１から４の整数である）。
【手続補正３】
【補正対象書類名】明細書
【補正対象項目名】０００８
【補正方法】変更
【補正の内容】
【０００８】
【課題を解決する為の手段】
本発明の一実施態様によれば、複数の、互いに異なる色相を有する染料インクによって二次色の画像を形成する画像形成方法であって、該画像の分光スペクトル分布において、染料の非会合状態の存在を示す吸収ピーク以外のピークが最大であることを特徴とする画像形成方法が提供される。
また、上記の目的を達成できる他の実施態様にかかる画像形成方法によれば、イエローの色材、マゼンタの色材及びフタロシアニン染料を含有するシアンの色材の重ね合わせにより被記録材上に黒色の画像を形成する画像形成方法であって、該黒色画像の５００ｎｍ〜７００ｎｍの範囲の分光スペクトル分布において、波長６６０〜７００ｎｍの領域以外に吸収の最大ピークを有していることを特徴とする画像形成方法が提供される。
【手続補正４】
【補正対象書類名】明細書
【補正対象項目名】０００９
【補正方法】変更
【補正の内容】
【０００９】
上記画像形成方法において、シアンインクに用いられるフタロシアニン染料が、下記一般式（Ｉ）で表わされるフタロシアニン染料であることが好ましい。
【外４】
2004123910.tif 000004
（式中、ＣｕＰｃは銅フタロシアニン残基を表し、Ｍはアルカリ金属又はアンモニウムであり、ｘは１、２、３または４であり、ｙは０、１、２または３である。但しｘ＋ｙ＝２以下のものを含まないか、或いは実質的に含まない。）
又、上記一般式（Ｉ）で示される化合物のうち、ｘ＋ｙ＝３の成分よりもｘ＋ｙ＝４の成分をより多く含有していることが好ましい。より詳しくは、一般式（Ｉ）の化合物の、測定波長２５４ｎｍでの高速液体クロマトグラフィー分析において、ｘ＋ｙ＝４を示すピークの高さをＡとし、ｘ＋ｙ＝３を示すピークの高さをＢとしたときに、Ａ／Ｂが少なくとも１．５であることが好ましい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００２８
【補正方法】変更
【補正の内容】
【００２８】
インクの物性
インクの物性に関しては、インクジェット適性の観点から、コントロールすることが望ましい。インクの表面張力は２０〜５０ｍＮ／ｍに、インクの粘度は１〜５ｍＰａ・ｓにすることが好ましい。
【手続補正１０】
【補正対象書類名】明細書
【補正対象項目名】００２９
【補正方法】変更
【補正の内容】
【００２９】
水性媒体
水性媒体は、基本的に水を主成分とし、水溶性有機溶剤を含んでいてもよい。
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】変更
【補正の内容】
【００３４】
また、インクのインクジェット吐出特性、具体的には、あるノズルからインクを吐出させ、その後インクの吐出を一時中断し、再びそのノズルからインクを吐出させたときのインクの吐出性、所謂間欠吐出性に優れたものとするために、蒸気圧が少なくとも０．０１ｍｍＨｇ（２０〜２５℃）のグリコール類を水性媒体中に含有させることが好ましい。このようなグリコール類としては、例えばエチレングリコールを挙げることができる。かかるグリコール類のインク中における含有量としては、２〜２０質量％、特には３〜１０質量％が好ましい。
【手続補正１３】
【補正対象書類名】明細書
【補正対象項目名】００６９
【補正方法】変更
【補正の内容】
【００６９】
（添加剤）
本発明で使用する各インクを作製する場合には、インクの保湿性維持のために、尿素、尿素誘導体、トリメチロールプロパン等の保湿性固形分もインク成分として用いてもよい。尿素、尿素誘導体、トリメチロールプロパン等、保湿性固形分のインク中の含有量は、一般には、インクに対して０．１〜２０．０質量％の範囲が好ましく、より好ましくは３．０〜１０．０質量％の範囲である。更に本発明で使用する各インクには、上記成分以外にも、必要に応じて、界面活性剤、ｐＨ調整剤、防錆剤、防腐剤、防カビ剤、酸化防止剤、還元防止剤、蒸発促進剤、キレート化剤、水溶性ポリマー等、種々の添加剤を含有させてもよい。